(57)【要約】【課題】  耕耘部の後方を覆うリヤカバーの下端側に備えられる整地カバーであって、上面側が上方に開放状となる溝状に形成された整地部を有する整地カバーにおいて、整地部の上面側に土が溜まってリヤカバーの重量がアップする、代掻き時に整地部の上面側に泥水が入って該整地カバーが沈み込む、という問題を解決する。【解決手段】  整地部３０の上面側に、該上面側の溝部分を埋めるように土侵入防止部材５５を設ける。【選択図】図１
2006075169.tif 000002
【特許請求の範囲】
【請求項１】
耕耘部（１１）の後方を覆うリヤカバー（１５）の下端側に備えられる整地カバーであって、上面側が上方に開放状となる溝状に形成された整地部（３０）を有する整地カバーにおいて、
整地部（３０）の上面側に、該上面側の溝部分を埋めるように土侵入防止部材（５５）が設けられていることを特徴とする整地カバー。
【請求項２】
土侵入防止部材（５５）は、左右方向に複数に分けて設けられていることを特徴とする請求項１に記載の整地カバー。
【請求項３】
リヤカバー（１５）のメインカバー（１８）に対して整地部（３０）を取り付けるための被取付部（２９）を備え、この被取付部（２９）に整地部（３０）が着脱自在に取り付けられていることを特徴とする請求項１又は２に記載の整地カバー。
【請求項４】
土侵入防止部材（５５）が樹脂の中空製品からなることを特徴とする請求項１〜３のいずれかに記載の整地カバー。
【請求項５】
リヤカバー（１５）のメインカバー（１８）に対して整地部（３０）を取り付けるための被取付部（２９）を左右一対備え、整地部（３０）の上面側に、前記左右一対の被取付部（２９）を取り付けるための取付部材（５２）を左右一対備え、土侵入防止部材（５５）は、前記左右の取付部材（５２）間と、左右各取付部材（５２）の左右方向外方側とに設けられ、左右の被取付部（２９）を左右方向で同じ側にある取付部材（５２）に取り付けた状態で、被取付部材（２９）が土侵入防止部材（５５）の上面側に接当していることを特徴とする請求項１〜４のいずれかに記載の整地カバー。
【発明の詳細な説明】
【技術分野】
【０００１】
本発明は、ロータリの耕耘部を覆うロータリカバーに備えられる整地カバーに関するものである。
【背景技術】
【０００２】
従来、圃場を耕耘する機械としてロータリがあり、このロータリは、トラクタの後部に三点リンク機構を介して昇降自在に取り付けられる機枠と、この機枠の下部に左右方向の軸心回りに回転自在に支持された爪軸に多数の耕耘爪を取り付けてなるロータリ耕耘部と、このロータリ耕耘部を覆うロータリカバーとを備えている。
前記ロータリカバーは、ロータリ耕耘部の上方を覆う上部カバーと、ロータリ耕耘部の後方を覆うリヤカバーとを備えている。
また、ロータリカバーとして、リヤカバーが、上部カバーの後端側に左右方向の軸心廻りに回動自在に支持された上部側のメインカバーと、このメインカバーの下端側に設けられた取付部に着脱自在に取り付けられるサブカバー（整地カバー）とから主構成されているものがある（特許文献１又は２参照）。
【０００３】
このロータリカバーにあっては、メインカバーの背面下端側に取付部が設けられ、該取付部に着脱自在に取り付けられる被取付部がサブカバーに設けられている。
メインカバーの取付部には、上下一対のピンが設けられ、サブカバーの被取付部には、前記メインカバーの上下のピンに下方側から嵌合する上向き開放状の上下一対の嵌合溝と、上側の溝とで取付部の上側のピンを挟持するフックとを設けており、サブカバーをメインカバーに取り付ける場合、ロータリ耕耘部を接地させた状態で、サブカバーを持ち上げてメインカバーの下端側下方に該サブカバーを配置し、その後、サブカバーを上方移動させてメインカバーの取付部の上下のピンにサブカバーの上下の嵌合溝を嵌合させると、メインカバーに対してサブカバーが位置決めされると共に、この状態でフックが自動的に上側のピンに係合し、該フックと上側の嵌合溝とで上側のピンを挟持することにより、サブカバーがロックされるように構成されている。
【特許文献１】実開平４−７７７０２号公報
【特許文献２】実開平４−７７７０３号公報
【発明の開示】
【発明が解決しようとする課題】
【０００４】
本発明は、耕耘部の後方を覆うリヤカバーの下端側に備えられ、且つ上面側が上方に開放状となる溝状に形成された整地部を有する整地カバーの、前記整地部の上面側に泥土等がつまるのを防止することができる整地カバーを提供することを目的とする。
【課題を解決するための手段】
【０００５】
本発明が前記目的を達成するために講じた技術的手段は、耕耘部の後方を覆うリヤカバーの下端側に備えられる整地カバーであって、上面側が上方に開放状となる溝状に形成された整地部を有する整地カバーにおいて、
整地部の上面側に、該上面側の溝部分を埋めるように土侵入防止部材が設けられていることを特徴とする。
また、土侵入防止部材は、左右方向に複数に分けて設けられていてもよい。
また、リヤカバーのメインカバーに対して整地部を取り付けるための被取付部を備え、この被取付部に整地部が着脱自在に取り付けられているのがよい。
【０００６】
また、土侵入防止部材が樹脂の中空製品から構成されているのがよい。
また、リヤカバーのメインカバーに対して整地部を取り付けるための被取付部を左右一対備え、整地部の上面側に、前記左右一対の被取付部を取り付けるための取付部材を左右一対備え、土侵入防止部材は、前記左右の取付部材間と、左右各取付部材の左右方向外方側とに設けられ、左右の被取付部を左右方向で同じ側にある取付部材に取り付けた状態で、被取付部材が土侵入防止部材の上面に接当しているのがよい。
【発明の効果】
【０００７】
本発明によれば、土侵入防止部材によって整地部の上面側に泥土等がつまるのを防止することができる。
【発明を実施するための最良の形態】
【０００８】
以下、本発明の実施の形態を図面を参照して説明する。
図２において、１はトラクタの後部に三点リンク機構等を介して昇降自在に装着されるロータリである。
このロータリ１は、中央のギヤケース２から左右にサポートアーム３を突設し、一方のサポートアーム３の左右方向外端側に伝動ケース４の上部を固定すると共に、他方のサポートアーム３の左右方向外端側にサイドフレームの上部を固定して門型に主構成された機枠５を有する。
【０００９】
この機枠５のギヤケース２にはトップマスト６が上方突出状に固定され、このトップマスト６は前後に二股状に形成され、該トップマスト６の前部６ａの上部には、三点リンク機構のトップリンクの後端側又は三点リンク機構の後端側に連結される連結枠の上部に取り付けられる上部取付部７が設けられている。
また、機枠５の左右各サポートアーム３には、三点リンク機構のロワーリンクの後端側又は三点リンク機構の後端側に連結される連結枠の下部に取り付けられる取付ブラケット８が設けられている。
【００１０】
また、機枠５の下部には、伝動ケース４とサイドフレームとの下部間に左右方向の軸心廻りに回動自在に支持された爪軸９と、この爪軸９に取り付けられた多数の耕耘爪１０とを有するロータリ耕耘部１１が設けられている。
なお、機枠５のギヤケース２には、トラクタのＰＴＯ軸からドライブシャフトを介して動力が伝達されるＰＩＣ軸１２が設けられ、このＰＩＣ軸１２に伝達された動力は、ギヤケース２内の動力伝達機構、サポートアーム３内の伝動軸、伝動ケース４内の動力伝達機構を経て爪軸９に伝達されて、該爪軸９が、例えば、矢示Ｆ方向に回転駆動されるように構成されている。
【００１１】
このロータリ１には、前記ロータリ耕耘部１１を覆うロータリカバー１３が設けられており、このロータリカバー１３は、ロータリ耕耘部１１の上方を覆う上部カバー１４と、ロータリ耕耘部１１の後方を覆うリヤカバー１５と、ロータリ耕耘部１１の後部の左右両側を覆うサイドカバー１６とを備えている。
上部カバー１４は、その左右方向の端部が、伝動ケース４とサイドフレームとにそれぞれ固定された側板２５に取付固定されている。
リヤカバー１５は、上端側が上部カバー１４の後端側（機枠５側）に、左右方向の軸心を有する支軸１７の軸心回りに回動自在に枢支されていて、上下揺動自在に支持された上部側のメインカバー１８と、このメインカバー１８の下端側に着脱自在に取り付けられるサブカバー（整地カバー）１９とを有して構成されている。
【００１２】
サイドカバー１６は、伝動ケース４又はサイドフレーム等に取り付けられている。
また、機枠５には、左右のゲージ輪２０を取り付ける支持フレーム２１が設けられており、この支持フレーム２１は前端側が機枠５側に枢支されて上下揺動自在とされており、この支持フレーム２１の後端側に左右のゲージ輪２０が設けられており、この支持フレーム２１とトップマスト６との間には、該支持フレーム２１の上下揺動位置を調節すべく伸縮自在な高さ調整装置２２が設けられている。
また、このロータリ１にあっては、リヤカバー１５の下端側を下方側（接地方向）に付勢する弾下装置２３が機枠５とリヤカバー１５とに亘って且つ左右一対設けられている。
【００１３】
図１〜図６に示すように、前記メインカバー１８の下端側には、サブカバー１９を取り外したときに圃場に接地する整地部１８ａが設けられており、該メインカバー１８の背面下部には、板材から形成された左右一対の取付部２４が設けられ、左右の取付部２４は、メインカバー１８の背面に上部から下部に亘って設けられた補強部材２６に溶接等によって固定された底壁２４ａと、該底壁２４ａの左右両側から後方側に延出された左右の側壁２４ｂとを有する。
左右の側壁２４ｂの上部側には係合部２７が前後一対設けられ、左右の側壁２４ｂの下部には位置決め部２８が前後一対設けられている。
【００１４】
前後の係合部２７は、上方側に向けて開放状とされた溝から形成され、底部側は側面視円弧状に形成されている。
前後の位置決め部２８は、左右方向の軸心を有する丸棒材によって構成され、左右の側壁２４ｂ間に亘って設けられていて、溶接等によって左右側壁２４ｂに固定されている。
サブカバー１９は、メインカバー１８の左右の取付部２４に着脱自在に取り付けられる左右一対の被取付部２９と、この左右被取付部２９に着脱自在に取り付けられた整地部３０とを有し、前記整地部３０は、メインカバー１８の整地部１８ａの左右幅に略対応する主整地部３１と、該主整地部３１の左右両側に配置された延長整地部３２とを備えている。
【００１５】
延長整地部３２は、主整地部３１から左右方向外方に突出する延長姿勢と、この延長姿勢から主整地部３１の上方側に位置する不使用姿勢に姿勢変更自在とされ、且つ延長姿勢へと回動する方向に付勢されている。
また、この延長整地部３２は、前記トップマスト６の後部６ｂに取り付けられた支持ブラケット３３に揺動操作自在に支持された操作レバー（操作部材）３４の揺動操作によって、延長姿勢と不使用姿勢とに姿勢変更操作可能とされており、この操作レバー３４は、ロータリ１を上昇させることにより、トラクタの運転席側から把持可能とされており、これによって、延長整地部３２がトラクタの運転席側から遠隔操作可能とされている。
【００１６】
サブカバー１９の被取付部２９は、支持ブラケット３５とロック部材３６とを有する。
支持ブラケット３５は、板材から形成されていて、左右の側壁３５ａと、左右側壁３５ａの後部側上縁同志を連結する上壁３５ｂと、左右側壁３５ａの後部側下部間に亘って設けられた下壁３５ｃと、左右各側壁３５ａの前端側上部の縁部から左右方向内方側に延出された前部壁３５ｄとを有する。
この支持ブラケット３５は、左右の側壁３５ａがメインカバー１８の取付部２４の左右側壁２４ｂ間に挿入可能な左右幅に形成されている。
【００１７】
この支持ブラケット３５の左右の各側壁３５ａの後部には、左右方向に貫通する開口部３７が形成され、この開口部３７の前後端部間に対応する側壁３５ａ上部側及び上壁３５ｂの部分が、サブカバー１９を持つために把持する把持部３８とされている。
なお、被取付部２９は左右一対あるので、サブカバー１９を両手で持つことができるようになっている。
また、支持ブラケット３５の左右側壁３５ａの前部側上部にはメインカバー１８の取付部２４の係合部２７に上方側から係脱自在に係合する被係合部３９が設けられ、支持ブラケット３５の左右側壁３５ａの前部側下部にはメインカバー１８の取付部２４の位置決め部２８に後方側から係合する被位置決め部４０が設けられている。
【００１８】
支持ブラケット３５の左右側壁３５ｂの前部側上部には、左右方向の軸心を有する丸棒材４１が左右各側壁３５ａを貫通して該左右各側壁３５ａから左右方向外方に突出するように設けられ、この丸棒材４１の左右両側の、左右各側壁３５ａから左右方向外方に突出した部分が被係合部３９とされており、該被係合部３９をメインカバー１８の取付部２４の係合部２７に上方側から係合（嵌合）することにより、サブカバー１９が係合部２７に被係合部３９の軸心回りに回動自在に受持される。
被位置決め部４０は、前方側に向けて開放状の溝から形成され、被係合部３９を係合部２７に受持させた状態で、サブカバー１９が被係合部３９回りに前回りに回動することにより、後方側から位置決め部２８に係合（嵌合）するように構成されている。
【００１９】
このとき、被位置決め部４０の下側部分が位置決め部２８に係合してサブカバー１９の上方側への移動が規制され、被係合部３９が係合部２７に係合し且つ被位置決め部４０が位置決め部２８に係合することによりサブカバー１９が位置決めされる。
本実施の形態では、係合部２７及び位置決め部２８は、前後２カ所に設けられていて、サブカバー１９は２位置に位置決めできるようになっている。
また、前側の係合部２７に被係合部３９を係合させると共に被位置決め部４０を前側の位置決め部２８に係合するときに、支持ブラケット３５の左右側壁３５ａが後側の位置決め部２８に干渉するのを防止するために、支持ブラケット３５の左右側壁３５ａには、後側の位置決め部２８に嵌合する係合溝４２が形成されている。
【００２０】
本実施の形態のリヤカバー１５にあっては、通常の深さのロータリ耕（標準耕耘作業）よりも深い耕耘（深耕し）を行う場合はサブカバー１９を外してメインカバー１８のみで使用し、標準耕耘作業を行う場合は被係合部３９を前側の係合部２７に係合した状態でサブカバー１９を位置決めして使用し、標準耕耘作業よりも浅い耕耘（浅耕し）又は代掻き作業を行う場合は被係合部３９を後側の係合部２７に係合した状態でサブカバー１９を位置決めして使用する。
前記ロック部材３６は、サブカバー１９が位置決めされた状態で被位置決め部４０とで位置決め部２８を挟持することによりメインカバー１８の取付部２４からサブカバー１９が外れないようにロックするものであり、該ロック部材３６は、支持ブラケット３５の左右側壁３５ａ間の前後中途部の上部側に左右側壁３５ａに亘って設けられた左右方向の支軸４３を介して左右方向の軸心廻りに回動自在に支持された枢支部４４と、この枢支部４４に接続部４５を介して接続されたレバー部４６と、枢支部４４から前方側に延設されていて被位置決め部４０とで位置決め部２８を挟持する（掴む）フック状のロック部４７とを有し、前記支軸４３回りに回動することにより、ロック部４７と被位置決め部４０とで位置決め部２８を挟持するロック位置（図１、３参照）と、該ロック状態を解除すべくロック部４７が位置決め部２８から離反した位置に位置する非ロック位置（図７参照）とに位置変更自在とされている。
【００２１】
枢支部４４には捩りコイルバネ（付勢手段）４８が外嵌されており、該捩りコイルバネ４８によってロック部材３６をロック位置に回動させる方向に付勢するように、捩りコイルバネ４８の一端側が支持ブラケット３５の上壁３５ｂの前端側に掛止されると共に他端部がロック部４７に掛止されている。
レバー部４６は、支持ブラケット３５の上壁３５ｂと対向するように位置していて、ロック部材３６がロック位置にある場合において、レバー部４６を支持ブラケット３５の把持部３８と一緒に握ることにより、該レバー部４６が前記上壁３５ｂに近接してロック部材３６が非ロック位置へと回動する。
【００２２】
なお、前記ロック部材３６は、レバー部４６から前側に延設されていて、被係合部３９の上方側を覆うカバー部４９を備えている。
また、前述したようなロック部材３６を設ける代わりに、サブカバー１９を位置決めした後に、取付部２４の側壁２ｂと、支持ブラケット３５の側壁３５ａとにわたってピンを貫通することによってサブカバー１９をロックするようにしてもよい。
整地部３０は、前側にメインカバー１８の整地部１８ａの上方側を覆うカバー部分（前部側部分）５０を有すると共に、後側には、整地部３０を構成する板材を下側から上側に向けて弧状に折り返す（巻回してなる）と共に端部が上面側に重合固定されたループ部分（後部側部分）５１を有し、さらにこれらカバー部分５０とループ部分５１との間が上方側に開放状の溝状となるように形成されている。
【００２３】
また、主整地部３１には、メインカバー１８の左右の取付部２４に対応する位置に取付部材５２が設けられている。
この取付部材５２は、図１及び図６に示すように、上壁５２ａとこの上壁５２ａの左右両側から下方側に延出する左右の側壁５２ｂとを有するコ字形に形成され、左右の側壁５２ｂは、主整地部３１のカバー部分５０とループ部分５１との上部間に配置されていて、これらに溶接等によって固定されている。
また、この取付部材５２の上壁５２ａの下面側にはナット５３が前後一対固着されている。
【００２４】
この取付部材５２の上壁５２ａは支持ブラケット３５の左右側壁３５ａの下端部間に挿入されて支持ブラケット３５の下壁３５ｃの下面に重合され、この状態で上方側から支持ブラケット３５の下壁３５ｃ及び取付部材５２の上壁５２ａを貫通し且つ取付部材５２の上壁５２ａのナット５３に螺合されるボルト５４によって、主整地部３１が被取付部２９に着脱自在に取付固定されている。
また、主整地部３１の上面側には、左右の取付部材５２間及び左右各取付部材５２の左右方向外方側の溝部分を埋めるように、樹脂の中空製品からなるフロート（土侵入防止部材）５５が設けられており、このフロート５５によって主整地部３１の上面側に泥土等がつまらないように構成されている。
【００２５】
本実施の形態では、メインカバー１８に取り付けられるサブカバー１９の被取付部２９と、圃場に接地する整地部３０とが着脱自在とされているので、図８に示すように、前述した整地部３０の他、樹脂の中空製品からなる軽い整地部５６や、板材からなると共に後縁部分が波状に形成されていて代掻き時において草等を埋設する機能を有するレベラ等の整地部５７に交換することができる。
各種の整地部３０と被取付部２９とが分離不能になっていると、各種の整地部３０ごとにサブカバー１９を用意しなければならずコストアップとなるが、被取付部２９を共通の部材とし、該被取付部２９に着脱自在に取り付けられる各種の整地部を用意することによりコストダウンを図ることができる。
【００２６】
前記構成のリヤカバー１５にあっては、図７（ａ）に示すように、サブカバー１９を、左右の被取付部２９の把持部３８と共にロック部材３６のレバー部４６を握って持ち上げて係合部２７の上方側に被係合部３９が位置し且つ位置決め部２８の後方側に被位置決め部４０が位置するようにサブカバー１９を配置し、次いで、サブカバー１９を下ろして、図７（ｂ）に示すように、係合部２７に被係合部３９を係合し、この状態で、サブカバー１９を該サブカバー１９の自重で被係合部３９回りに前回りに回動させることにより被位置決め部４０を位置決め部２８に係合し、その後、ロック部材３６のレバー部４６から手を放せばロック部材３６のロック部４７と被位置決め部４０とで位置決め部２８が挟持されてサブカバー１９がロックされ、これによって該サブカバー１９の取付が完了する。
【００２７】
本実施の形態のリヤカバー１５にあっては、メインカバー１８にサブカバー１９を取り付けるに際して、メインカバー１８の下端側を高い位置に位置させなくてもサブカバー１９を取り付けることができ、メインカバー１８の下端側を低い位置に位置させることにより、サブカバー１９を高い位置に持ち上げることなく該サブカバー１９が取り付けられるので、サブカバー１９取付の労力を軽減できる。
また、メインカバー１８の取付部２４にサブカバー１９の被係合部３９一カ所を係合し、その後、この係合部分回りにサブカバー１９の自重で回動することによりサブカバー１９が位置決めされ、その後、ロック部材３６によってサブカバー１９をロックすることによりサブカバー１９が取り付けられるので、サブカバー１９の着脱が容易に行える。
【００２８】
なお、係合部２７に被係合部３９を係合し且つロック部材３６をロック位置にした状態で、サブカバー１９を被係合部３９回りに回動させたときに、ロック部４７が位置決め部２８に接当して押圧されることで、該ロック部４７が非ロック位置側へと回動して位置決め部２８の被位置決め部４０への係合が許容され、被位置決め部４０が位置決め部２８に係合したときに、捩りコイルバネ４８の付勢力によってロック部材３６がロック位置に戻るようにして、自動的にロック部材３６が位置決め部２８に係合するように構成してもよい。
【００２９】
なお、本実施の形態では、ロータリ１として、サイドドライブ式のロータリ１を例示したが、センタドライブ式のロータリ等を採用してもよい。また、係合部２７がピンで構成され、被係合部３９が溝で構成され、位置決め部２８が溝で構成され、被位置決め部４０がピンで構成されていてもよい。
【図面の簡単な説明】
【００３０】
【図１】メインカバーとサブカバーの取付部分の側面断面図である。
【図２】ロータリの側面図である。
【図３】リヤカバーの側面図である。
【図４】リヤカバー下部の背面図である。
【図５】（ａ）はメインカバーの取付部の、図３Ｃ−Ｃ線矢示図、（ｂ）はサブカバーの被取付部の、図３Ｃ−Ｃ線矢示図である。
【図６】（ａ）は整地部の取付部分の平面図、（ｂ）は整地部の取付部分の背面断面図である。
【図７】サブカバーの取付手順を示した側面図である。
【図８】サブカバーの整地部の種類を例示した側面図である。
【符号の説明】
【００３１】
１１    耕耘部
１５    リヤカバー
１８    メインカバー
１９    サブカバー（整地カバー）
２９    被取付部
３０    整地部
５２    取付部材
５５    フロート（土侵入防止部材）
【図１】
2006075169.tif 000003
【図２】
2006075169.tif 000004
【図３】
2006075169.tif 000005
【図４】
2006075169.tif 000006
【図５】
2006075169.tif 000007
【図６】
2006075169.tif 000008
【図７】
2006075169.tif 000009
【図８】
2006075169.tif 000010